Podtech/llm-jp-corpus-v4-ja_patent huggingface dataset:
(57)【要約】      （修正有）【課題】切断線時における断線箇所の検索を容易にする電磁誘導ケーブルを提供する。【解決手段】誘導ケーブルを、低温収縮の小さい誘導線２本と引張強度を強化するポリアミド系樹脂ロープ又は鋼線による抗張力素材との一体構造の電磁誘導ケーブルとする。【選択図】図１
0003158555.tif 000002
【実用新案登録請求の範囲】
【請求項１】
電磁誘導線２本およびポリアミド系樹脂ロープまたは鋼線を一体に成型した抗張力電磁誘導ケーブル。
【請求項２】
請求項１記載の特徴を有する各種電磁誘導走行システムの電磁誘導ケーブル。
【考案の詳細な説明】
【技術分野】
【０００１】  この考案は、ゴルフカートの電磁誘導ケーブルの構造に関する。
【背景技術】
【０００２】  従来の電磁誘導ケーブルの形状は、図２に示すように銅芯線に架橋ポリエチレン樹脂により皮膜されたものである。
【先行技術文献】
【特許文献】
【０００３】  なし
【非特許文献】
【０００４】  なし
【考案の概要】
【考案が解決しようとする課題】
【０００５】  電磁誘導式走行システムの運用における障害は、ケーブルの断線による走行システムが運行停止となり、断線箇所の探索および補修工事に要する時間はゴルフ場経営上極めて重大事である。【０００６】  誘導ケーブル切断の原因としてモグラ被害や機械的衝撃等によるものはその現場が明確であり対処は比較的容易である。一方、路面の凍結等による芯線の低温収縮による断線は断線箇所の探索が困難であり負荷の大きい作業となる。
本考案は、この問題を課題とする。
【課題を解決するための手段】
【０００７】  以上の課題を解決するために、本考案は、誘導ケーブルを低温収縮の小さい且つ引張強度の高い素材線および２本の芯線を一体構造のケーブルとすることである。
また、本考案は、切断線時における断線箇所の検索を容易にし、修復工事を合理化することにある。
【考案の効果】
【０００８】  本考案により、第一に、冬季特に寒冷地における誘導ケーブル寒冷収縮による切断事故を防止することができる。
第二に、２本の誘導ケーブルのうち１本が切断しても電磁誘導走行システムは停止することなく運用可能となる。
従って断線箇所の検索は発信機側よりＴＤＲ（時間領域反射率測定法）により切断位置および誘導線結線不良位置をモニター画面の表示により正確に把握き、走行システムの休止時間帯に補修工事が可能となる。
第三に、２本の誘導ケーブルが同時に断線した場合の対処もＴＤＲ（時間領域反射率測定法）による探査により走行停止時間を最短に止めることが可能となる。
【図面の簡単な説明】
【０００９】
【図１】この考案の実施形態を示すケーブルの断面図である。
【図２】従来技術を示すケーブルの断面図である。
【考案を実施するための形態】
【００１０】  この考案の一実施形態を、図１に示す。
芯線１と架橋ポリエチレン樹脂絶縁体２で構成された誘導線を並列に、その中間にポリアミド系樹脂ロープ又は鋼線による抗張力素材３を挟み塩化ビニールチューブ５にて一体化し塩化ビニール充填材にて固定化される。
「実施形態の効果」
【００１１】  この実施形態によれば、抗張力素材により引張強度が向上し芯線の低温収縮による断線事故が減少する。
【００１２】  この実施形態によれば、誘導ケーブルが２本に電磁波が発生するため１本の断線でもカートの走行が可能であり、断線箇所の検索、修復作業が走行休止時間帯に行うことによりゴルフ場の営業に支障をきたさない。
「他の実施形態」
【００１３】  図１の実施形態では、電磁発信装置側にＴＤＲ（時間領域反射率測定法）を設置することにより常時誘導ケーブルの監視が可能である。
【００１４】  図１の実施形態では、断線箇所の修復に際し自動車にＴＤＲ（時間領域反射率測定法）を携帯しカート走行路の埋設誘導ケーブル上にセンサーを当て走行し、探知音の変化により切断箇所を認識することができ修復作業における移動時間の短縮が可能となる。
【産業上の利用可能性】
【００１５】  ゴルフ場、果樹農園、林道、工場その他一定のコースを走行する車両等の電磁誘導走行システム
【符号の説明】
【００１６】  １  導体：（銅線０．５〜５．５ｍｍ２）
２  絶縁体：架橋ポリエチレン樹脂
３  抗張力材：ポリアミド系樹脂ロープまたは鋼線
４  シース材：耐熱・耐候性ビニール
５  充填材：塩化ビニール
【図１】
0003158555.tif 000003
【図２】
0003158555.tif 000004
(57)【要約】      （修正有）【課題】一般家庭において広く使用されている包丁について、砥石による研磨の必要のない実用性の高い替刃式の包丁を提供する。【解決手段】適当厚さに成る刀身体２の底辺部において正面二段階に成る段部を前側部３を残して形成し、刀身体の底辺部の中央部に当たる中段部４には前記前側部に一側面部を当接して替刃体６の上側部８を嵌挿し、刀身体の底辺部の後段部５には前記替刃体の上側他側面部に抑止板９を当接して替刃体との間に刀身体の前側部にかけて締結子１０・・により止着して成るものである。【選択図】図４
0003158514.tif 000002
【実用新案登録請求の範囲】
【請求項１】
適当厚さに成る刀身体の底辺部において正面二段階に成る段部を前側部を残して形成し、刀身体の底辺部の中央部に当たる中段部には前記前側部に一側面部を当接して替刃体の上側部を嵌挿し、刀身体の底辺部の後段部には前記替刃体の上側他側面部に抑止板を当接して替刃体との間に締結子により止着して成ることを特徴とする包丁。
【考案の詳細な説明】
【技術分野】
【０００１】
本考案は、替刃式の包丁に関するものである。
【背景技術】
【０００２】
今日、各種材料によって製造される包丁が存するところ、刃部分は使用によって摩耗することから、時々研磨する必要があるところ、一般家庭においては砥石を使って研ぐことは殆んどなく、そのままやむを得ず使用しているのが通常である。
【０００３】
しかし、これでは不便であることから、本考案者の考案した特許文献１や特許文献２のような替刃式の包丁が製作されたが、実際には実用性に欠ける点があったことから普及することがなかった。
【先行技術文献】
【特許文献】
【０００４】
【特許文献１】実公昭４９−２８８３９号公報
【特許文献２】実公昭４９−４６８１４号公報
【考案の概要】
【考案が解決しようとする課題】
【０００５】
そこで、本考案は、従来物の使用上の不便さを改良した実用性の高い替刃式包丁を提供することを目的とするものである。
【課題を解決するための手段】
【０００６】
本考案は、適当厚さに成る刀身体の底辺部において正面二段階に成る段部を前側部を残して形成し、刀身体の底辺部の中央部に当たる中段部には前記前側部に一側面部を当接して替刃体の上側部を嵌挿し、刀身体の底辺部の後段部には前記替刃体の上側他側面部に抑止板を当接して替刃体との間に刀身体の前側部にかけて締結子により止着して成るものである。
【考案の効果】
【０００７】
第１に、包丁における刀身体の底辺部に設置する切刃部は替刃式になることから、刃先部の切削力が摩耗などによって劣化したときは、直ちに新替刃体に交換すればよく、その交換取付け作業は家庭において誰れでも簡単にできるようになる。
【０００８】
第２に、取替え後の替刃体は刀身体と一体となり、何人も違和感なく円滑に使用することができる。
【図面の簡単な説明】
【０００９】
【図１】全体の斜視図
【図２】刃体取替え時の分離状態を示した斜視図
【図３】新替刃体取付け時の斜視図
【図４】図１Ａ−Ａ線部の断面図
【考案を実施するための形態】
【００１０】
いま替刃体の切刃部が長期間の使用によって摩耗して切削しにくくなった時には、ビスによる締結部を操作して替刃体を取り外した後、新しい替刃体を抑止板を当接してビスで締結するようにすれば、包丁は通常の使用可能の状態になるから、そのまま使用すればよい。
【実施例】
【００１１】
１は把柄体、２は把柄体１に取付く適当厚さに成る刀身体である。
【００１２】
前記刀身体２には、正面方向から見て二段階に成る段部を前側部３を残して形成するが、段部は中段部４と後段部５とに区分して成る。
【００１３】
６は適当形状と厚さに成る替刃体で、この替刃体はその前側面部及び後側面部の適所に凹面部７，７を形成して切削効率を高めるようにするものである。
【００１４】
前記替刃体６の上側部８の一側面部は、前記刀身体２の中段部４に当接するようになる。
【００１５】
９は前記刀身体２の一側面部と平行面に前記後段部５に嵌挿する抑止板で、この抑止板の内側面部は前記替刃体６の他側面部に当接するようになる。
【００１６】
１０・・は前記抑止板９の外側部から替刃体６に向け刀身体２の前側部３にかけて止着するビスのような締結子で、この締結子は前記抑止板９及び替刃体６に対し各通孔１１・・，１２・・を介して着脱し得るようになる。
【符号の説明】
【００１７】
１                    把柄体
２                    刀身体
３                    前側部
４                    中段部
５                    後段部
６                    替刃体
７，７                凹面部
８                    上側部
９                    抑止板
１０・・              締結子
１１・・              通孔
１２・・              通孔
【図１】
0003158514.tif 000003
【図２】
0003158514.tif 000004
【図３】
0003158514.tif 000005
【図４】
0003158514.tif 000006
(57)【要約】      （修正有）【課題】墓石の清掃の際、墓石へ強固に付着した水垢や、水桶の内面に強固に付着した水垢の除去を容易に行うことができる墓石の清掃用具を提供する。【解決手段】筒型の杓の断面を、円形の一部が突出した形状とし、杓およびくさび状に加工した柄の先端部分を有する柄杓に、杓の外周および柄の先端部分に研磨剤シートを貼着し装備する。【選択図】図２
0003158549.tif 000002
【実用新案登録請求の範囲】
【請求項１】
筒型の杓の断面を、円形の一部が突出した形状とし、杓およびくさび状に加工した柄の先端部分を有する柄杓に、杓の外周および柄の先端部分に研磨剤シートを貼着し装備した形態の墓石の清掃用具。
【考案の詳細な説明】
【技術分野】
【０００１】  日常における墓石の清掃の際、墓石に固着した水垢や泉水桶に発生する赤涸の除去は、通常の方法では困難であり特殊な構造を有する効果的な用具を必要とし、この考案は墓の美観を保つための清掃用具に関するものである。
【考案の開示】
【考案が解決しようとする課題】
【０００２】  従来、石塔型の墓を清掃する場合、何段か積み重ねた石塔は風雨に晒されるために幾重にも水垢が付着し、日照によって焼き付けられ水垢が強固に堆積固着していて、墓石の清掃に手間どることが多い。【０００３】  さらに、墓の前面に備えられた泉水桶には、泉水の腐敗と太陽熱によるクロレラの発生で赤涸と呼ばれる水垢が強固に付着して、完全に除去するためには相当な労力を要するもので通常のたわしなどでは完全な除去が難しい。【０００４】  これらは、墓石に付着した雨水や泉水桶に供えられた清水が太陽光線により発生したクロレラや塵埃などが変化し、結果的に強固に墓石に付着するものであって、墓参の際は出来る限り墓に付着した不純物の除去や墓地の清掃に努めるのが習わしではあるが、何時の場合も墓石の水垢や泉水桶の赤涸の除去には難儀するものであり、考案が解決しようとする課題である。
【課題を解決するための手段】
【０００５】  本考案は、前述の課題を解決するため、適当な長さの柄の先端に使い勝手の良い杓を装着し合理的に成形した形態の清掃用具を提供する。【０００６】  すなはち、泉水桶の残水を完全に汲みだすためには特殊な形状をした杓を必要とするので、杓部分の断面を円形の一部が突出した形態とした筒型であり、杓と柄の一部には墓石に堆積した水垢や赤涸を擦って落とすために強力で効果的な研磨剤シートを用いたブラシを貼着した形態とする。【０００７】  この考案による用具は、泉水桶が小判型あるいは長方形で隅の部分が丸み、底部が凹んでいても、杓の外側で泉水桶の内部の形状にかかわらず泉水桶の内面に沿って擦ることができ、杓の外側に貼着した研磨剤シートによるブラシを有効に使って、泉水桶に強固に固着した赤涸を擦って完全に除去することができる。【０００８】  また本考案の用具は、墓の石塔に強固に付着した水垢を除去するにも有効的であり、積み重ねた墓石の隅に沿って研磨剤シートで擦ることにより完全に除去することができる。【０００９】  一方、柄の先端をくさび状に加工した形状とし、その先端に研磨剤シートによるブラシを貼着してあるので、墓石の重なり部位などの狭隘な部分の汚れも擦って除去できる。【００１０】  本考案の墓の掃除用具は前述の如く、水汲みの柄杓の形状をしているものであり、杓の部分は墓に清水を供えるために役立ち、杓の外周に貼着した研磨剤シートによるブラシは強固に付着した墓石の水垢や赤涸を除去する作業に非常に有効である。
【考案の効果】
【００１１】  墓石の清掃の際、本考案の掃除用具を用いることにより以下の効果が生じる。【００１２】  墓石に付着した水垢を除去する効果が大きく、杓の外周に貼着した研磨剤シートで擦って強固な水垢の除去が容易に行えるので、墓石の清掃美化に役立てることができる。【００１３】  本考案の用具は墓石の泉水桶に強固に付着した赤涸の除去に役立ち、従来たわしなどでは除去できなかった赤涸を的確に除去でき、残水の汲み出しも確実にできることとなる。【００１４】  この考案による清掃用具は、杓の部分が水汲みに役立つ形態であり泉水桶の水張りや花立ての水の補給などにも役立ち、墓の清掃に一石二鳥の効果を生じることとなる。
【考案を実施するための最良の状態】
【００１５】  本考案は、杓型の形態をしており、杓の部分は外周が泉水桶の内壁に沿って適切に接することができるよう、杓の断面は円形の一部が突出した形状の筒型に成型し、適当な長さの握り柄の先端に装着する。
【００１６】  その杓の外周には墓石の汚れ部分を擦る目的で研磨剤シートを全般に貼着する。
【００１７】  また、杓の柄の先端は、墓石の狭隘な部位を擦る目的でやや尖鋭なくさび型とし、その先端に沿って研磨剤シートを貼付する。
【実施例】  以下、本考案による実施例を図面に基づいて説明する。【００１８】  本考案の清掃用具の形状は各図の如く柄杓型の形状を成し、柄１の先端に杓２を擁した柄杓型の形態とする。【００１９】  しかも、図１に示すように柄１の先端部分の形状をくさび状に成形し、その外周に沿って研磨剤シート３を裁断し成形したものを貼着して、研磨剤によるブラシの役目をする。【００２０】  しかも筒型の杓２の断面の形状は、図２の如く円形の一部が突出していて、底部４を含む外周部分には研磨剤シート５を全般に貼着し、杓２の外周が研磨剤によるブラシの役目ができる。【００２１】  本考案は、以上分割して説明したが、構造的に簡単であるため、金型成型によりプラスチック材料で一体化して抽出し、製品化することも可能である。
【産業上の利用可能性】
【００２２】  本考案による墓の清掃用具は前述の通り、墓参の際の墓石の清掃に必要な要素を満たすものであり、便利な清掃用具として普及性に富んでいる。【００２３】  また、本考案による用具は製品として合理的な過程により製造することが可能であり、需要に答えることができる。【００２４】  一方、製造工程が簡単なため、販売価格の面でも抑制できる要素を含んでいるため市販の際の価格抑制も可能であり、産業上の利用可能性に優れている。
【図面の簡単な説明】
【００２５】
【図１】は、本考案による墓の清掃用具の側面から見た見取図であり表裏同形である。
【００２６】
【図２】は、本考案による墓の清掃用具の上面から見た見取図である。
【００２７】
【図３】は、本考案による墓の清掃用具の杓の底面から見た見取図である。
【符号の説明】
【００２８】  １．  柄の部分。  ２．  杓の部分。  ３．  柄１の先端に貼付した研磨剤シート。  ４．  杓の底部。  ５．  杓の外周に貼付した研磨剤シート。
【図１】
0003158549.tif 000003
【図２】
0003158549.tif 000004
【図３】
0003158549.tif 000005
(57)【要約】【課題】  田畑や公園の芝地、等に被害をもたらすモグラは、大変臆病で捕獲するのに難しく、今までいろんな器具で捕獲を試みたが気付かれ逃げられて成果は上がらなかった。其処で、気付かれる事無く簡単に設置出来、高い確率で確実に捕獲出来るようにする。【解決手段】  モグラに気付かれないよう地上設置型で、鳥居状の２本の支柱１と昇降部２を組合せ、昇降部２を勢い良く士中に降下させる為に、スプリング３を２個使う。又、昇降部２には数本の針６を感知板４の両脇に挟むように２列取り付ける事によって、捕獲具の下に土を盛り上げながら侵入してきたモグラが感知板４を押し上げた時、既に数本の針６はモグラの体長中央上部に位置して、感知板４から引き金７に伝動し、掛け金５が外れて昇降部２に取り付けた針６が土中に降下したとき、確実にモグラの体長中央部を突き刺すようにした。【選択図】図２
0003158529.tif 000002
【実用新案登録請求の範囲】
【請求項１】
此の考案は、一回以上モグラが土を盛り上げて通った穴を選び、捕獲具の２列の針６の幅位モグラの盛り上げた土を踏み固め、其処に感知板４を合わせて、跨ぐように２本の支柱部１の一部分を土に差し込み固定する。その時、針６も土に刺し土中に小石等の障害物が無いか確かめ、障害物を確認した時は、それを取り除いて設置する。
その後、昇降部２に巻き上げ用の鎖１０を掛け、巻き上げ部９で巻き上げた後、昇降部２に掛け金５を掛け、引き金７に止めた後、巻き上げ用鎖１０を昇降部２から外す。その後、感知板４と土面に隙間が出来ないように間隔調整部８で調整して設置は完了する。
モグラの盛り上げる土の動きで感知板４が持ち上げられ作動して引き金７に伝わり、掛け金５が引き金７から外れて昇降部２がスプリング３の力で土中に降下した時、モグラが士中の通り道を左右どちらから捕獲具の下に侵入して来ても捕獲出来るように感知板４の両脇を挟むように２列、昇降部２に数本の針６を取り付けることによって、針６は既にモグラの体長中央上部に位置し、昇降部２が勢い良く土中に降下した時、針６は確実に土中のモグラの体長中央部を突き刺し、逃がす事無く高い確率で捕獲出来るようにした。
【考案の詳細な説明】
【技術分野】
【０００１】  本考案は、田畑や公園の芝地等で被害を及ぼす土中のモグラを、高い確率で容易く捕獲出来るようにしたものである。
【背景技術】
【０００２】  従来は、いわゆるモグラの被害を食い止める捕獲具では、土中のモグラの、体長の中央部を確実に突き刺し捕らえる捕獲具は無かった。
【先行技術文献】
【特許文献１】
【０００３】  特許電子図書館  モグラが含まれる公開広報
【考案の概要】
【考案が解決しょうとする課題】
【０００４】  従来、いわゆるモグラの捕獲具で埋設型の場合、気付かれ、近づかない。針で突き刺す捕獲具では、暴れて逃げられやすい。震動や音で追い逃がす器具では、すぐに慣れて被害を及ぼす問題点があった。
【課題を解決するための手段】
【０００５】  モグラに気付かれないように地上設置型にした。又、感知板４の両脇を挟むように２列、数本の針６を昇降部２に取り付ける事によって、モグラが土を盛り上げながら左右どちらから捕獲具の下に侵入しても、その土で感知板４を押し上げた時、既にモグラの体長中央上部に針６が位置し、引き金７から掛け金５が外れて昇降部２が、スプリング３の力で、勢い良く降下した時、昇降部２に取り付けた針６は土中のモグラの体長中央部を確実に突き刺し、逃げられる事無く捕獲出来るようにした。
【考案の効果】
【０００６】  地上設置型で気付かれにくく、追い逃がすだけでなく高い確率で確実に突き刺し捕獲出来るため、モグラの被害が激減する。
【考案を実施するための形態】
【０００７】以下、本考案の実施の形態について説明する。
（イ）鳥居状の２本の支柱部１と、昇降部２を組み合わせ、感知板４の作動を受けて掛け金５が外れ、昇降部２がスプリング３の力で下降する。
（ロ）モグラの体長中央部を確実に突き刺す為に、感知板４を挟むように両脇に２列、昇降部２に数本の針を取り付けた。
【図面の簡単な説明】
【０００８】
【図１】  モグラが土中で行き来している通り道の地上に捕獲具の設置を示した立面図である。
【図２】  モグラが土中、捕獲具の下に侵入した時の側面を示した立面図である。
【符号の説明】
【０００９】  １  支柱部
２  昇降部
３  スプリング
４  感知板
５  昇降部の掛け金
６  針
７  引き金
８  感知板と土の隙間の間隔調整部
９  昇降部の巻き上げ部（取外し可能）
１０  昇降部の巻き上げ用鎖
【図１】
0003158529.tif 000003
【図２】
0003158529.tif 000004
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
この考案は、土中のモグラの捕獲具で、鳥居状の支柱部１と、昇降部２を組み合わせ、昇降部２は支柱部１から外れる事無く上下にスライドし、支柱部１の両脚と昇降部２の両端２箇所をスプリング３で繋ぎ、スプリング３の伸縮力を利用し、モグラが土を盛り上げながら左右どちらからでも捕獲具の下に侵入しても、確実にモグラを捕獲出来るようにするため、昇降部２には感知板４の両脇を挟むように２列、数本の針６を取り付け、モグラの動かした土の動きを感知板４で捉えて、引き金７に伝動し掛け金５が外れて昇降部２が土中に降下を始めた時、既にモグラの体長中央上部に昇降部２に取り付けた数本の針６が位置しているため、スプリング３の伸縮力で勢い良く土中に降下した数本の針６は、モグラの体長中央部を確実に突き刺し逃げられることなく捕獲する、スプリングの力を利用したモグラ捕獲具である。
(57)【要約】【課題】  軽トラック荷台の荷物積載において、積載時にロープ等用いることなく、落下防止及び盗難防止にもなる簡易的な保護パネルを提供することを課題とする。【解決手段】  軽トラックの高さ制限内で、不要時には荷台前方へ折りたたみ収納し、必要時に後方へ引き出すだけで簡易に開扉ができるよう脚部下端にキャスターを設け、左右分割の折りたたみ式荷物積載保護パネルとする。【選択図】図１
0003158530.tif 000002
【実用新案登録請求の範囲】
【請求項１】
保護パネルの脚部下端にキャスターを設け、不要時は軽トラック荷台の前方に折りたたみ収納し、荷物積載時には後方へ引き出し、簡易に開扉ができることを特徴とした折りたたみ式積荷保護パネル。
【考案の詳細な説明】
【技術分野】
【０００１】  本考案は、軽トラックの荷台パネルよりも高方へ荷物を積載する場合、ロープおよびベルト等を用いなくても、荷物が外へ落下することなく安全に積載できる荷台保護パネルに関するものである。
【背景技術】
【０００２】  従来、軽トラックの荷台に荷物を積載する場合、荷台のサイド及び後方パネルの高さまでならそのまま積載しても、よほどの事がない限り落下することはないが、荷台パネルより高く積載する場合は、ロープ等で荷物を縛らなければ走行中に落下することになる。【０００３】  集配用の軽トラックは制限高さまでビニール幌を取り付け、荷物を積載しているが、幌は一度取り付ければ簡単に取り外しができない。また、積載物によっては幌が邪魔になることもある。
【先行技術文献】
特になし。
【考案の概要】
【考案が解決しようとする課題】
【０００５】  本考案は積載荷物によって必要時に、積載保護パネルを取り付け、制限高さまでロープ等を用いることなく、荷物を積載できるようにすることである。
【課題を解決するための手段】
【０００６】  本考案では、積載保護パネルを折りたたみ式にし、通常時必要ない場合は、トラックの荷台の前方へ収納し、必要時後方へ引出し組み立てる。
前方へ収納した時は、厚さ１２０ｍｍほどで通常時には邪魔にならない。【０００７】  必要時に後方へ引き出すときは観音開きの形式で、さらに、各フレームの下端部にはキャスターを取り付けているため、スムーズに開くことができる。
【考案の効果】
【０００８】  本考案によって、軽トラックの荷台に荷物を積載する場合、積載物の種類により、必要によって積載保護パネルを組立、積載物の落下防止やまた、盗難予防にも効果を発し、簡易に積載物を保護することができるようになった。
【図面の簡単な説明】
【０００９】
【図１】本考案の平面図である。
【図２】本考案の側面図である。
【図３】本考案の折りたたみ収納図面である。
【図４】後方回転金具４の拡大図である。
【考案を実施するための形態】
【００１０】  各分割パネルの縦フレームと縦フレームとの接続を兆番で構成し、それぞれのパネルが図１の矢印のように内側方面、外側方面に曲折するように兆番を取り付ける。最後尾のパネルは左右に分割され左右の折りたたみ部分を回転板で構成し、かつ各パネルの脚部下端にはキャスターを設けて各折り曲げ部分が滑らかに回転するようにする。
【実施例】
【００１１】  以下に図面にしたがって実施例を説明する。
図３は収納時の保護パネルである。収納時の厚さは１２０ｍｍ程で荷台前方に固定する。荷物を積載するときは、パネル１１をそれぞれ左右に広げながら後方に引く。パネルの脚部下端にはキャスター６がついているので、それぞれのパネルは滑らかに開扉し図１のようになる。パネル１１は開扉時には２７０度の回転を行うため、通常の兆番では対応できない。それゆえ、図４のような回転板を用いてパネル１１の開扉をスムーズに行うようになっている。【００１２】  さらに、軽トラックの車種によって車幅が違うのを補正するため、５の部分がスライド式になっている。このスライド部分を調節することによって、全ての車種の荷台に搭載することが可能である。
【符号の説明】
【００１８】  １  パネル
２  兆番
３  前側パネル金具
４  後方回転金具
５  スライド調節部
６  キャスター
７  軽トラック
８  第一パネル
９  第二パネル
１０  第三パネル
１１  第四パネル
【図１】
0003158530.tif 000003
【図２】
0003158530.tif 000004
【図３】
0003158530.tif 000005
【図４】
0003158530.tif 000006
(57)【要約】【課題】赤ちゃんを抱いて楽な姿勢で違和感なく授乳できるようにした授乳用椅子を提供するものである。【解決手段】座１、背もたれ２及び肘掛け３がクッション材で形成されるとともに、背もたれ２及び肘掛け３が一体に形成されている授乳用椅子において、座１は中央部に形成された窪み７が窪み７の形状に合致するマット８で塞がれ、背もたれ２及び肘掛け３の接合部６が曲面に形成されている。肘掛けを両側に設け、さらに各窪みがマットで塞がれることを特徴とする。【選択図】図１
0003158588.tif 000002
【実用新案登録請求の範囲】
【請求項１】
座、背もたれ及び肘掛けがクッション材で形成されるとともに、背もたれ及び肘掛けが一体に形成されている授乳用椅子において、座は中央部に形成された窪みが窪みの形状に合致するマットで塞がれ、背もたれ及び肘掛けの接合部が曲面に形成されていることを特徴とする授乳用椅子。
【請求項２】
肘掛けを両側に設けることを特徴とする請求項１記載の授乳用椅子。
【請求項３】
一対の窪みを座に形成し、各窪みがマットで塞がれることを特徴とする請求項２記載の授乳用椅子。
【考案の詳細な説明】
【技術分野】
【０００１】
本考案は、授乳する際に赤ちゃんを抱いて楽な姿勢で授乳することができる授乳用椅子に関する。
【背景技術】
【０００２】
赤ちゃんを抱いて授乳できるようにした各種の授乳用の椅子が提案されている（例えば、特許文献１、２参照）。
【０００３】
前記特許文献１には、乳児や保母の体格に応じて授乳時に肘掛の高さが容易に調整できる椅子として、前方下部から後方上部に向けて角軸による傾斜支柱を両側部の後方に有する椅子の該傾斜支柱が、前記傾斜支柱の角軸の横断面より前後方向に大きな開口を後端部に貫通状に設けると共に該開口内に前記傾斜支柱の前後面と水平状態において当接可能な２本のピンを平行に設けた肘掛アームの２本のピンの間に通されており、前記肘掛アームに設けた開口の近傍には該肘掛アームの前方を常時下方に付勢する弾性体が設けられている肘掛アームが上下動可能な椅子が記載されている。
【０００４】
また、前記特許文献２には、座席部材が揺動可能とされた椅子において、揺動の態様を変更でき、多様な揺動を実現し得るようにした椅子として、床面上に置かれるベース部材の隆起部の上面に２個のリンクを回動可能に取付ける。これらリンクの各端部を中間部材に設けられた軸受穴内に受入れた状態とすることにより、中間部材を揺動可能にベース部材から吊下げた椅子が記載されている。
【先行技術文献】
【特許文献】
【０００５】
【特許文献１】特開平０９−１１７３４９号公報
【特許文献２】特開平０７−２７５０７０号公報
【考案の概要】
【考案が解決しようとする課題】
【０００６】
前記特許文献１，２に記載されている椅子は、座及び背もたれが平面に形成されるとともに、背もたれと肘掛けがほぼ直角になっているため、身体が椅子にフィットしにくく、赤ちゃんを抱いて椅子に寄りかかった姿勢で授乳していると、座り心地が悪くなって違和感があった。
【０００７】
そこで、本考案は、赤ちゃんを抱いて楽な姿勢で違和感なく授乳できるようにした授乳用椅子を提供するものである。
【課題を解決するための手段】
【０００８】
本考案は、座、背もたれ及び肘掛けがクッション材で形成されるとともに、背もたれ及び肘掛けが一体に形成されている授乳用椅子において、座は中央部に形成された窪みが窪みの形状に合致するマットで塞がれ、背もたれ及び肘掛けの接合部が曲面に形成されていることを特徴とする。
【０００９】
前記構成において、肘掛けを両側に設け、さらに各窪みがマットで塞がれることを特徴とする。
【考案の効果】
【００１０】
本考案の授乳用椅子は、背もたれ及び肘掛けがクッション材で形成されるとともに、背もたれ及び肘掛けが一体に形成され、さらに背もたれ及び肘掛けの接合部が曲面に形成されているので、赤ちゃんを抱いて楽な姿勢で椅子に寄りかかることができる。
【００１１】
また、本考案の授乳用椅子は、マットを外すと、窪みの周りで身体を支えることが可能となるため産後の痛みへの影響をなくすことができる。産後の痛みへの影響をなくし、また、本考案の授乳用椅子は、肘掛けを両側に設けることにより、二人で座って会話を楽しみながら授乳することも可能となる。
【図面の簡単な説明】
【００１２】
【図１】（ａ）は本考案の授乳用椅子の一実施例の斜視図、（ｂ）はマットの着脱の説明図である。
【図２】（ａ）は本考案の授乳用椅子の一実施例の斜視図、（ｂ）はマットの着脱の説明図である。
【考案を実施するための形態】
【００１３】
本考案の実施例について図面を参照しながら説明する。
【実施例１】
【００１４】
本考案の授乳用椅子は、図１に示すように、座１、背もたれ２及び肘掛け３からなる。座１、背もたれ２及び肘掛け３は、弾力性を持たせるためにクッション材を袋に充填して形成される。
【００１５】
座１が脚４の上に支持固定され、座１の上に支持部材５を介して背もたれ２と肘掛け３が支持される。
【００１６】
背もたれ２と肘掛け３は一体に形成される。背もたれ２と肘掛け３はソファと同様に丸みを持たせ、背もたれ２と肘掛け３の接合部６は曲面に形成される。背もたれ２と肘掛け３が一体に形成され、接合部６が曲面に形成されることにより、楽によりかかることが可能となる。
【００１７】
座１の中央には、窪み７が形成される。窪み７は、窪み７の形状に合致するマット８で塞がれる。授乳の際、マット８を外すと、窪み７により産後の痛みへの影響をなくし、楽な姿勢で寄りかかれるので、疲れるのを抑えることが可能となる。
【実施例２】
【００１８】
本実施例の授乳用椅子は、二人掛け用で、図２に示すように、肘掛け３が背もたれ２の両側に形成される。両側の肘掛け３ａ，３ｂは背もたれ２に実施例１と同様に丸みを持たせ、背もたれ２と肘掛け３ａ，３ｂの接合部６は曲面に形成される。背もたれ２と肘掛け３ａ，３ｂが一体に形成され、接合部６が曲面に形成されることにより、二人とも楽によりかかることが可能となる。
【００１９】
座１の中央には、一対の窪み７ａ，７ｂが形成される。各窪み７ａ，７ｂは、窪み７ａ，７ｂの形状に合致するマット８ａ，８ｂで塞がれる。授乳の際、マット８ａ，８ｂを外すと、窪み７ａ，７ｂに身体が沈み込み楽な姿勢で寄りかかれる。
【符号の説明】
【００２０】
１：座
２：背もたれ
３，３ａ，３ｂ：肘掛け
４：脚
５：支持部材
６：接合部
７，７ａ，７ｂ：窪み
８，８ａ，８ｂ：マット
【図１】
0003158588.tif 000003
【図２】
0003158588.tif 000004
(57)【要約】【課題】  椅子・テーブル等の脚下端によりフローリング，Ｐタイル，クッションフロアーなどが損傷されるのを防止するための接床材の取り替え使用を可能とする。【解決手段】  椅子・テーブルの脚下端に取り付け、フローリングやＰタイル，クッションフロアー等の傷付きを防止する接床材であって、脚下端に接着面２を介して固定される固定部材１と、該固定部材１に接合されるフェルト等の接床材４よりなる接合部材３により構成し、両部材１，３の対合する面に互いに係脱し得る雌雄ファスナーからなる布ファスナー５，６を取り付け、係脱可能で接床材４の取り替えを容易ならしめた。【選択図】    図１
0003158566.tif 000002
【実用新案登録請求の範囲】
【請求項１】
椅子，テーブルの脚下端に取り付け、フローリングやＰタイル，クッションフロアー等の傷付きを防止する接床材であって、脚下端に接着部を介して固定される固定部材と、該固定部材に接合される接床材よりなる接合部材からなり、両部材は対合する面に互いに係脱し得る雌雄ファスナーからなる布ファスナーが取り付けられ、係脱可能で、接合部材の取り替えを容易ならしめていることを特徴とする椅子・テーブル脚用接床材。
【請求項２】
接床材が適宜厚さのフェルトである請求項１記載の椅子・テーブル脚用接床材。
【考案の詳細な説明】
【技術分野】
【０００１】
本考案は椅子・テーブル等の脚下端に取り付けられ、フローリングやＰタイル，クッションフロアーの傷付きを防止するための接床材に関するものである。
【背景技術】
【０００２】
従来より椅子・テーブル等の脚部にはフローリングやＰタイル，クッションフロアーの損傷を防止するためゴム製のキャップが嵌め込まれ使用されているが、このゴム製のキャップは常時使用していると摺擦により次第に摩耗して薄くなり、脚下端からも外れ易くなる。
【０００３】
そこで、ゴム製のキャップ下面にフッ素樹脂製の補強接床板を一体成形したものや、フローリングやＰタイル，クッションフロアーに対して滑り性を確保して擦り切れを防ぐためエラストマー製の有底筒形のキャップ本体の底部下面にフェルトからなる接床板を一体に成形した接床キャップなどが提案されている。（例えば特許文献１参照）
【先行技術文献】
【特許文献】
【０００４】
【特許文献１】登録実用新案第３０４６０２２号公報
【考案の概要】
【考案が解決しようとする課題】
【０００５】
しかし、上記提案された各接床キャップは何れもある程度、耐用性を有してフローリングやＰタイル，クッションフロアーに対して優しく、傷を付けることがない効果を有しているが、常時使用されているうちにキャップ本体の擦り切れ、特にフェルトの擦り切れは免れず、取り替えが必要となるが、この取り替えについては全く考慮されておらず、キャップ全体として取り替えなければならなかった。
【０００６】
本考案はこれに対し、フローリングやＰタイル，クッションフロアーに接して擦り切れ易い接床部分のみの取り替えに着目し、該部を別体とし、雌雄係合からなる布ファスナーにより係脱可能として接床部の取り替えを容易ならしめることを目的とする。
【課題を解決するための手段】
【０００７】
即ち、上記目的に適合する本考案は、椅子・テーブルの脚下端に取り付け、フローリングやＰタイル，クッションフロアー等の傷付きを防止する接床材であって、脚下端に接着面を介して固定される固定部材と、該固定部材に接合される接床材よりなる接合部材からなり、両部材は対合する面に互いに係脱し得る雌雄ファスナーからなる布ファスナーが取り付けられ、係脱可能で、接合部材の取り替えを容易ならしめた構成を特徴とする。なお、接床材は適宜厚みを有するフェルトが好適であるが、樹脂製の板状シートも使用可能である。
【考案の効果】
【０００８】
本考案は上述の如く接床材を固定部材と接合部材に分けて形成し、布ファスナーにより係脱可能に形成しているため、床に接するフェルト等の接合部材が摩耗した場合には接合部材を随時、簡単に取り替えることができ、フローリング側やＰタイル，クッションフロアーに対し常時、良好な接床性を確保し、傷を付けることがない効果を有している。
【図面の簡単な説明】
【０００９】
【図１】本考案に係る接床材の１例を示す概要図である。
【図２】本考案接床材を椅子・テーブルの脚下端に取り付けた使用状態図である。
【考案を実施するための形態】
【００１０】
以下、更に添付図面に基づいて本考案の具体的形態を説明する。図１は椅子・テーブルの脚下端に取り付けられ、フローリングやＰタイル，クッションフロアーの傷付きを防止するための本考案接床材であり、脚下端に接着面２を介して固定される固定部材１と、該固定部材１に接合されて床面に接触するフェルト等の接床材４よりなる接合部材３の両部材によって構成されており、固定部材１の接合面側と接合部材３の接合面側に夫々、布ファスナーの互いに係合し合う雌雄ファスナーの何れか一方宛５，６が取り付けられていて、両部材１，３は該ファスナー５，６により係脱が可能となっている。
【００１１】
ここで、固定部材１側は布ファスナー５の布上面に直接接着剤等を付着して接着面２としてもよく、また適宜、フェルト等の布帛を使用し、該布帛上面に接着剤等を付着して接着してもよい。この場合には固定部材１の接合面側は該フェルト等の布帛面に布ファスナーが層着されることになる。
【００１２】
一方、接合される接合部材３は通常、適宜厚みを有するフェルト等の繊維シート状布帛あるいは樹脂製シート状物よりなる接床材４によって形成されて、その接合面側に前記固定部材１の布ファスナー５に係合する雄又は雌ファスナー６が取り付けられ、前記固定部材側の布ファスナー５に雌雄ファスナー係合により係脱が可能となっている。そして、これら固定部材１及び接合部材３は何れもシート材により形成されているため、夫々雌雄何れかの布ファスナーを予め取り付けたシートとして広巾で形成し、随時、所要の大きさに裁断して利用することができるので頗る効率的であり、取り替え使用が簡単で、かつ極めて廉価である。
【００１３】
図２は上記接床材を椅子・テーブルの脚下端７に取り付けた状態であり、先ず、固定部材１を接着面２を介して脚下端７に固定し、これに接合部材３を布ファスナー５，６を用いて接合することによって脚下端に取り付けられる。そして、接床材４が摩耗等により取り替えを必要とするに至ったときには固定部材より外して新しい接合部材を取り付け接床材とする。
【００１４】
このようにして随時、接合部材３を取り替えることによって常に有効に接床材が脚下端７に装着され、良好な接床効果を維持する。
【符号の説明】
【００１５】
１：固定部材
２：接着面
３：接合部材
４：接床材
５，６：布ファスナー
７：脚下端
【図１】
0003158566.tif 000003
【図２】
0003158566.tif 000004
(57)【要約】      （修正有）【課題】廃棄処分時に、分別を要する金属等からなる部分が、取外し容易なリベット固定バインダーを提供する。【解決手段】複数のリベット２２、２３等を介してバインダーベースが取付けられたファイル１０に於いて、リベットの近傍の背表紙１１にそれぞれのリベットに対応する穿孔１４を設け、リベット取付け部と穿孔間にスリット１４１等を形成する。さらに、裏表紙を覆うプラスチックシートの両サイド縁部がファイルの表紙部に融着され、使用時におけるリベット及び穿孔が外側より目視できないように構成し、且つ、穿孔の直径がリベットの頭部直径より大きく穿設されていることを特徴として廃棄処分時に取外し容易なリベット固定バインダーを構成する。【選択図】図２
0003158267.tif 000002
【実用新案登録請求の範囲】
【請求項１】
複数のリベットを介してバインダーベースが取付けられたファイルにおいて、リベットの近傍の背表紙にそれぞれのリベットに対応する穿孔を設け、リベット取付け部と穿孔間にスリットが形成されていることを特徴とする廃棄処分時の取外し容易なリベット固定バインダー。
【請求項２】
裏表紙を覆うプラスチックシートの両サイド縁部がファイルの表紙部に融着され、使用時におけるリベット及び穿孔が外側より目視できないように構成されたことを特徴とする請求項１記載の廃棄処分時の取外し容易なリベット固定バインダー。
【請求項３】
穿孔の直径がリベットの頭部直径より大きく穿設されていることを特徴とする請求項１記載の廃棄処分時の取外し容易なリベット固定バインダー。
【考案の詳細な説明】
【技術分野】
【０００１】  本考案は廃棄処分時に取外し容易なリベット固定バインダーに関し、特にファイルを使用しなくなったり、ファイルが劣化して使用しづらくなったりした時に容易にファイルからバインダーを取り外すことができるような構造であり、分別廃棄に対応できるものである。
【背景技術】
【０００２】  従来、廃棄時にリベット締めバインダーの取り外しを行う構造のファイルが開発されており、例として特開２００１−３０６７３号や登録実用新案３０４７８７６号公報等が開示されている。
【先行技術文献】
【０００３】
【特許文献１】  特開２００１−３０６７３号公報
【実用新案文献２】
登録実用新案３０４７８７６号公報
【考案の概要】
【考案が解決しようとする課題】
【０００４】  前記せる特開２００１−３０６７３号公報では、破壊用穴にスクリュードライバー等の先端を差し込んで、これを抉るように外力を付与してリベットを取り外すものであり、抉って取り外すには非常に手間がかかるものであった。【０００５】  また、前記せる登録実用新案３０４７８７６号公報では、例えばドライバーのような先端を綴金具に差し込み、綴金具を上方向にこじあけるようにして、一方のリベット頭を引っ張ることによってリベット締めの周辺に設けた切り目を破断しながらリベットを離脱するようにしている。【０００６】  上記の両引用文献は、いずれもドライバー等を用いて、こじ開けるようにしてリベトを離脱するものであり、非常に手間のかかるものであった。
【課題を解決するための手段】
【０００７】  前記せるような従来の引用文献に対し、本考案は、複数のリベットを介してバインダーベースが取付けられたファイルに於いてリベットの近傍の背表紙にそれぞれのリベットに対応する穿孔を設け、リベット取付け部と穿孔間にスリットが形成されていることを特徴とし、裏表紙を覆うプラスチックシートの両サイド縁部がファイルの表紙部に融着され、使用時におけるリベット及び穿孔が外側より目視できないように構成されたことを特徴とし、且つ、穿孔の直径がリベットの頭部直径より大きく穿設されていることを特徴とする廃棄処分時の取外し容易なリベット固定バインダーを提供するものである。
【考案の効果】
【０００８】  本考案は以上のような構成であるので、従来例と比べると極めて容易にリベットを離脱できるものであるから、リベット固定したファイルを廃棄又は焼却したりする場合には、極めて容易にリベット固定部分を離脱することができるので、分別処理する場合には従来例のようにこじ開けるような手間がかからないものである。
【図面の簡単な説明】
【０００９】
【図１】  本考案の廃棄処分時の取外し容易なリベット固定バインダーをファイルに取り付けた状態の斜視図である。
【図２】  本考案の廃棄処分時の取外し容易なリベット固定バインダーをファイルに取り付けた状態の背面から見た斜視図である。
【考案を実施するための最良の形態】
【００１０】  以下、図面に示す実施例に基づき、本考案の具体的な構成を説明する。
図面において、図１は本考案の廃棄処分時の取外し容易なリベット固定バインダーをファイルに取り付けた状態の斜視図である。図２は本考案の廃棄処分時の取外し容易なリベット固定バインダーをファイルに取り付けた状態の背面から見た斜視図である。【００１１】  複数のリベット２２、２３、２４、２５を介してバインダーベース２１が背表紙１１の内側に取付けられたファイル１０において、リベット２２、２３、２４、２５の近傍の背表紙１１にそれぞれのリベット２２、２３、２４、２５に対応する穿孔１４、１５、１６、１７を設け、リベット取付け部と穿孔間にスリット１４１、１５１，１６１，１７１が形成されている。【００１２】  背表紙１１を覆うプラスチックシート１１１の両サイド縁部がファイルの表紙部１２、１３の融着部１１２で融着され、使用時におけるリベット２２、２３、２４、２５および穿孔１４、１５、１６、１７が外側より目視できないように覆われている。【００１３】  穿孔１４、１５、１６、１７の直径がリベット２２、２３、２４、２５の頭部直径より大きく穿設されている。【００１４】  したがって、ファイル１０を図２の位置にしてバインダー２０の上部から金槌で叩けばリベット２２、２３、２４、２５はスリット１４１、１５１，１６１，１７１を開きながら穿孔１４、１５、１６、１７へ到達し、穿孔１４、１５、１６、１７の直径がリベット２２、２３、２４、２５の頭部直径より大きく穿設されているので、リベット２２、２３、２４、２５は容易にファイル１０の背表紙１１から離脱される。
【産業上の利用可能性】
【００１５】  本考案の廃棄処分時の取外し容易なリベット固定バインダーは以上説明したような構成であるので、廃棄処分やリサイクルの為に金属部分を分別しなければならない時にリベットとバインダーを容易に離脱させることができるので、産業上の利用可能性が大である。
【符号の説明】
【００１６】  １０  ファイル
１１  背表紙
１１１  プラスチックシート
１１２  融着部
１２  表紙部
１３  表紙部
１４  穿孔
１４１  スリット
１５  穿孔
１５１  スリット
１６  穿孔
１６１  スリット
１７  穿孔
１７１  スリット
２０  バインダー
２１  バインダーベース
２２  リベット
２３  リベット
２４  リベット
２５  リベット
【図１】
0003158267.tif 000003
【図２】
0003158267.tif 000004
(57)【要約】      （修正有）【課題】ハンマーに対してスプリングをおおむね水平方向となるように取り付けることで上下運動するハンマーの上下死点の幅を広げ、厚さの厚い加工ワークでも叩ける鍛治ハンマー装置を提供する。【解決手段】インバーターモーターにて回転する主軸５の一端に取り付けられたベアリング内臓リング７の回転中心からずれた位置にセットカラー８を取り付け、更に八の字型シャフト９ａ、９ｂと可動式フック１０ａ、１０ｂ、１０ｃ、１０ｄとスプリン  グ１３ａ、１３ｂとスライドガイドのブロック部１２ｂを順にそれぞれ接続部が回転可  能となるように取り付け、かつ、スライドガイドのブロック部１２ｂにハンマー１１を  ボルトで固定し、スライドガイドのレール部１２ａにボディ１５をボルトで固定して、スプリング１３ａ、１３ｂをハンマー１１に対しておおむね水平方向となるように取り  付けることでスライドガイド１２を介し上下運動のみ可能となるように制御されたハンマー１１の上下死点の幅を広げた。【選択図】図１
0003158263.tif 000002
【実用新案登録請求の範囲】
【請求項１】
インバーターモーターにて回転する軸の一端に取り付けられたベアリング内臓リング
の回転中心から偏芯したところにセットカラーを取り付け、セットカラーとスライドガ
イドのブロック部との間に八の字型シャフトと可動式フックとスプリングを回転可能に
接続し、ベアリング内臓リングの回転中心と同じ垂直線上に位置するようにスライドガ
イドのレール部をボルトでボディに固定して、スライドガイドを介して上下運動のみ可
能としたハンマーの衝撃力をスプリングの弾性力を介して加工ワークに与えるようにし
たことを特徴とする卓上スプリングハンマー。
【請求項２】
スライドガイドのブロック部とハンマーに対してスプリングがおおむね水平方向となるように取り付けられているため、ハンマーの上下方向に移動できる限界である上下死点の幅が広く取れ、厚さの厚い加工ワークでもセットして叩くことができるようにしたことを特徴とする請求項１記載の卓上スプリングハンマー。
【考案の詳細な説明】
【技術分野】
【０００１】
本考案は鍛冶で使用されるモーター駆動の鍛冶ハンマー装置に関し、弾性体を介して
ハンマーの衝撃力を加工ワークに与える鍛冶ハンマー装置に関するものである。
【背景技術】
【０００２】
モーター駆動型鍛冶ハンマー装置は、モーターの回転運動を上下往復運動に変える装
置とスライド式ハンマーとの間にスプリングを設置し、スプリングの弾性力を介して加
工ワークをハンマーで叩くように構成されていた。
【先行技術文献】
【特許文献】
【０００３】
【特許文献１】特開平１１−２９０９８１
【考案の概要】
【考案が解決しようとする課題】
【０００４】
従来のモーター駆動型鍛造ハンマー装置では、加工ワークとハンマーとスプリングとが上下方向に一列に設置されているため、ハンマーが上下方向に移動できる限界である上下死点の幅が狭かった。そのため加工できる加工ワークの厚さが限られていた。そこでスプリングをおおむね水平方向となるように設置することで上下死点の幅を広げ前述の欠点を解決しようとするものである。
【課題を解決するための手段】
【０００５】
本考案は、インバーターモーターにて回転する主軸の一端に取り付けられたベアリング内臓リングにおいて、主軸の回転中心からずれた位置にセットカラーを取り付け、更に八の字型シャフトと可動式フックとスプリングとスライドガイドのブロック部を順に
それぞれの接続部が回転可能となるように取り付け、スライドガイドのブロック部にはハンマーをボルトで固定し、スプリングはスライドガイドのブロック部とハンマーに対しておおむね水平方向となるように取り付けることにより問題点を解決している。
なお、ボディにスライドガイドのレール部をボルトで固定しているためスライドガイドのブロック部にボルトで固定されているハンマーはスライドガイドにより上下運動のみ可能となるように制御されている。
【考案の効果】
【０００６】
上述の様に、本考案は上下運動するスライドガイドのブロック部とハンマーに対してスプリングがおおむね水平方向となるように取り付けられているため、スプリングが垂直方向に取り付けられているときよりも上下方向にハンマーが移動できる限界である上下死点の幅がより広く取れるので、厚さの厚い加工ワークでもセットして叩くことができる。
【図面の簡単な説明】
【０００７】
【図１】本考案の一実施例を示す正面図である。
【図２】下面図（下から見た図）
【図３】本考案の作動中の一実施系を示す正面図である。
【考案を実施するための形態】
【実施例】
【０００８】
以下、添付図面に従って一実施例を説明する。図２においてインバーターモーター１の回転を、インバーターモーター１に接続されているプーリー２とＶベルト３を介して主軸５の一端に接続されているプーリー４に伝える。ベアリングホルダー６で保持されている主軸５の他端にはベアリング内蔵リング７が接続されている。
【０００９】
図１のようにベアリング内蔵リング７には、ベアリング内蔵リング７の回転中心から
ずれた位置にセットカラー８が取り付けられている。更にセットカラー８とスライドガ
イドのブロック部１２bとの間には回転可能に接続された八の字型シャフト９ａと９ｂ、
可動式フック１０ａと１０ｂと１０ｃと１０ｄ、スプリング１３aと１３ｂがそれぞれ
図２に示すように取り付けられている。スプリング１３a、１３ｂはスライドガイドのブ
ロック部１２bとハンマー１１に対しておおむね水平方向となるように取り付けられて
おり、更にベアリング内蔵リング７の回転中心と同じ垂直線上に位置するようにスライ
ドガイドのレール部１２aをボルトでボディ１５に固定しているのでハンマー１１はス
ライドガイド１２を介し上下運動のみ可能となるように制御されている。
【００１０】
以上により、インバーターモーター１の回転をハンマー１１の上下運動に変えると共に、スライドガイドのブロック部１２bとハンマー１１に対してスプリング１３a、１３bがおおむね水平方向となるように取り付けられているためハンマー１１の上下方向に移動できる限界である上下死点の幅が広く取れ、厚さの厚い加工ワークでもセットして叩くことができた。
【符号の説明】
【００１１】
１  インバーターモーター
２，４  プーリー
３  Ｖベルト
５  主軸
６  ベアリングホルダー
７  ベアリング内蔵リング
８  セットカラー
９ａ，９ｂ  八の字型シャフト
１０ａ，１０ｂ，１０ｃ，１０ｄ  可動式フック
１１  ハンマー
１２  スライドガイド
１２a  スライドガイドのレール部
１２b  スライドガイドのブロック部
１3ａ，１3ｂ  スプリング
１４  かなしき
１５  ボディ
【図１】
0003158263.tif 000003
【図２】
0003158263.tif 000004
【図３】
0003158263.tif 000005